【手続補正書】
【提出日】平成17年11月30日(2005.11.30)
【手続補正１】
【補正対象書類名】明細書
【補正対象項目名】特許請求の範囲
【補正方法】変更
【補正の内容】
【特許請求の範囲】
【請求項１】
カセッテシェルをシェル本体とシェル蓋体とで開閉可能に構成し、前記シェル本体内に輝尽性蛍光体プレートを有する放射線画像撮影用カセッテにおいて、
前記シェル本体に対して着脱可能な輝尽性蛍光体プレートを突き当てることで取付位置を規制する、前記シェル本体に設けられた位置規制部材を配置したことを特徴とする放射線画像撮影用カセッテ。
【請求項２】
前記シェル本体に装着される前記輝尽性蛍光体プレートを引き付けて前記位置規制部材に突き当てる、前記シェル本体に設けられた引き付け部材を有することを特徴とする請求項1に記載の放射線画像撮影用カセッテ。
【請求項３】
前記引き付け部材は、前記輝尽性蛍光体プレーに対して着脱可能な部材と、着脱可能な部材を支持する、前記シェル本体に設けられた弾性体とからなることを特徴とする請求項2に記載の放射線画像撮影用カセッテ。
【請求項４】
前記着脱可能な部材が、繰り返し使用可能な粘着材であることを特徴とする請求項3に記載の放射線画像撮影用カセッテ。
【請求項５】
前記着脱可能な部材が、吸盤であることを特徴とする請求項3に記載の放射線画像撮影用カセッテ。
【請求項６】
前記引き付け部材は、外力により前記弾性体に逆らって前記着脱可能な部材を押し上げた状態で、前記輝尽性蛍光体プレートを前記着脱可能な部材に吸着し、その後外力の作用をなくすことで、前記弾性体の弾性により前記輝尽性蛍光体プレートを前記位置規制部材に引き付けることを特徴とする請求項3乃至請求項5のいずれか１項に記載の放射線画像撮影用カセッテ。
【手続補正２】
【補正対象書類名】明細書
【補正対象項目名】００１５
【補正方法】変更
【補正の内容】
【００１５】
請求項１に記載の発明は、カセッテシェルをシェル本体とシェル蓋体とで開閉可能に構成し、前記シェル本体内に輝尽性蛍光体プレートを有する放射線画像撮影用カセッテにおいて、
前記シェル本体に対して着脱可能な輝尽性蛍光体プレートを突き当てることで取付位置を規制する、前記シェル本体に設けられた位置規制部材を配置したことを特徴とする放射線画像撮影用カセッテである。
【手続補正３】
【補正対象書類名】明細書
【補正対象項目名】００１６
【補正方法】変更
【補正の内容】
【００１６】
この請求項１に記載の発明によれば、輝尽性蛍光体プレートを位置規制部材に突き当てることで、輝尽性蛍光体プレートの平面性を確保することができる。
【手続補正４】
【補正対象書類名】明細書
【補正対象項目名】００１７
【補正方法】変更
【補正の内容】
【００１７】
請求項２に記載の発明は、前記シェル本体に装着される前記輝尽性蛍光体プレートを引き付けて前記位置規制部材に突き当てる、前記シェル本体に設けられた引き付け部材を有することを特徴とする請求項1に記載の放射線画像撮影用カセッテである。
この請求項2に記載の発明によれば、輝尽性蛍光体プレートを引き付けて位置規制部材に突き当てることで、輝尽性蛍光体プレートの平面性を確保することができる。
請求項3に記載の発明は、前記引き付け部材は、前記輝尽性蛍光体プレーに対して着脱可能な部材と、着脱可能な部材を支持する、前記シェル本体に設けられた弾性体とからなることを特徴とする請求項2に記載の放射線画像撮影用カセッテである。
【手続補正５】
【補正対象書類名】明細書
【補正対象項目名】００１８
【補正方法】変更
【補正の内容】
【００１８】
この請求項3に記載の発明によれば、引き付け部材が着脱可能な部材と弾性体とからなることで、簡単かつ確実に輝尽性蛍光体プレートを引き付けた状態で保持することができる。
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】変更
【補正の内容】
【００２１】
請求項４に記載の発明は、前記着脱可能な部材が、繰り返し使用可能な粘着材であることを特徴とする請求項3に記載の放射線画像撮影用カセッテである。
【手続補正９】
【補正対象書類名】明細書
【補正対象項目名】００２３
【補正方法】変更
【補正の内容】
【００２３】
請求項５に記載の発明は、前記着脱可能な部材が、吸盤であることを特徴とする請求項3に記載の放射線画像撮影用カセッテである。
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】変更
【補正の内容】
【００２７】
請求項6に記載の発明は、前記引き付け部材は、外力により前記弾性体に逆らって前記着脱可能な部材を押し上げた状態で、前記輝尽性蛍光体プレートを前記着脱可能な部材に吸着し、その後外力の作用をなくすことで、前記弾性体の弾性により前記輝尽性蛍光体プレートを前記位置規制部材に引き付けることを特徴とする請求項3乃至請求項5のいずれか１項に記載の放射線画像撮影用カセッテである。
【手続補正１３】
【補正対象書類名】明細書
【補正対象項目名】００２８
【補正方法】変更
【補正の内容】
【００２８】
この請求項6に記載の発明によれば、輝尽性蛍光体プレートを着脱可能な部材に押し付けて吸着し、その後外力の作用をなくすことで、弾性体の弾性により輝尽性蛍光体プレートを位置規制部材に引き付け、輝尽性蛍光体プレートに常に引き付ける力を付与することで輝尽性蛍光体プレートの平面性を確保することができる。
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００４７
【補正方法】変更
【補正の内容】
【００４７】
図５は放射線画像撮影用カセッテの他の実施の形態の斜視図である。この実施の形態の放射線画像撮影用カセッテ１は、図１乃至図４に示すように構成されるが、シェル蓋体４に開閉シャッター２０を設け、この開閉シャッター２０を開けると輝尽性蛍光体プレート５が露出するようになっている。
【手続補正２１】
【補正対象書類名】明細書
【補正対象項目名】００５８
【補正方法】変更
【補正の内容】
【００５８】
【発明の効果】
前記したように、請求項１に記載の発明では、輝尽性蛍光体プレートを位置規制部材に突き当てることで、輝尽性蛍光体プレートの平面性を確保することができる。
この請求項2に記載の発明によれば、輝尽性蛍光体プレートを引き付けて位置規制部材に突き当てることで、輝尽性蛍光体プレートの平面性を確保することができる。
【手続補正２２】
【補正対象書類名】明細書
【補正対象項目名】００５９
【補正方法】変更
【補正の内容】
【００５９】
請求項3に記載の発明では、引き付け部材が着脱可能な部材と弾性体とからなることで、簡単かつ確実に輝尽性蛍光体プレートを引き付けた状態で保持することができる。
【手続補正２３】
【補正対象書類名】明細書
【補正対象項目名】００６０
【補正方法】削除
【補正の内容】
【手続補正２４】
【補正対象書類名】明細書
【補正対象項目名】００６３
【補正方法】削除
【補正の内容】
【手続補正２５】
【補正対象書類名】明細書
【補正対象項目名】００６４
【補正方法】変更
【補正の内容】
【００６４】
請求項6に記載の発明では、輝尽性蛍光体プレートを着脱可能な部材に押し付けて吸着し、その後外力の作用をなくすことで、弾性体の弾性により輝尽性蛍光体プレートを位置規制部材に引き付け、輝尽性蛍光体プレートに常に引き付ける力を付与することで輝尽性蛍光体プレートの平面性を確保することができる。
【手続補正２６】
【補正対象書類名】明細書
【補正対象項目名】００６５
【補正方法】削除
【補正の内容】
【手続補正２７】
【補正対象書類名】明細書
【補正対象項目名】００６６
【補正方法】削除
【補正の内容】
【手続補正２８】
【補正対象書類名】明細書
【補正対象項目名】００６７
【補正方法】削除
【補正の内容】